(57)【要約】      （修正有）【課題】構成が簡単で、手指が不自由な患者であっても袋を確実に閉止することが可能な医療用廃棄物収納袋を提供する。【解決手段】表面シート１０は、細長形状であり、裏面シート１１は、表面シートの細長形状の長手方向のサイズよりも長いサイズの細長形状であり、余剰部分１１ａを有し、余剰部分以外の部分に表面シートを重ね合わせ、重ね合わされた表面シートと余剰部分以外の部分との周端を溶着することで、袋Ｂを形成する。フラップ１２が、袋の開口部Ｂ１を形成する表面シートの端部１０ａから延出される。第一のファスナー１３は、長手方向が裏面シートの短手方向に沿った細長形状であり、裏面シートの余剰部分の裏面に設けられる。第二のファスナー１４は、長手方向が表面シートの長手方向に沿った細長形状であり、表面シートの表面に設けられる。【選択図】図１
0003219025.tif 000002
【実用新案登録請求の範囲】
【請求項１】
細長形状の表面シートと、
前記表面シートの細長形状の長手方向のサイズよりも長いサイズの細長形状であり、余剰部分を有し、当該余剰部分以外の部分に前記表面シートを重ね合わせ、重ね合わされた前記表面シートと前記余剰部分以外の部分との周端を溶着することで、袋を形成する裏面シートと、
前記袋の開口部を形成する前記表面シートの端部から延出されるフラップと、
長手方向が前記裏面シートの細長形状の短手方向に沿った細長形状であり、前記裏面シートの余剰部分の裏面に設けられる第一のファスナーと、
長手方向が前記表面シートの細長形状の長手方向に沿った細長形状であり、前記表面シートの表面に設けられる第二のファスナーと、
を備え、
前記フラップを用いて前記袋の開口部を開いて、医療用廃棄物を前記袋に押し込み、前記裏面シートの余剰部分を前記袋の蓋部にして前記表面シートの表面に折り返し、前記第一のファスナーと前記第二のファスナーとで十字を形成するように、前記第一のファスナーを前記第二のファスナーに付着させることで、前記袋の開口部を閉じる
医療用廃棄物収納袋。
【考案の詳細な説明】
【技術分野】
【０００１】
本考案は、オートインジェクタ、ペン型注射器といった医療用廃棄物を収容する医療用廃棄物収納袋に関する。
【背景技術】
【０００２】
糖尿病患者のインスリン製剤、リュウマチ治療薬は、通常、オートインジェクタ、ペン型注射器と呼ばれる使い捨て注射器の医療用廃棄物によって患者に供給されるが、この医療用廃棄物は、使用後に安全に収納され、医療機関に回収される必要がある。
【０００３】
医療用廃棄物に関する技術として、例えば、実用新案登録第３２０５１５６号公報（特許文献１）には、柔軟な合成樹脂製シートである裏面シートと表面シートを重ね合わせて周縁を溶着する医療用廃棄物収納袋が開示されている。この医療用廃棄物収納袋は、平面である裏面シートに対し、表面シートは途中で裏面シート側に基方へ折り返し、該基方への折り返しに続けて先方へ折り返すことによってマチを形成し、該マチの先方への折り返し部分に医療用廃棄物を通過させることができる大きさの貫通孔を設けたことを特徴とする。これにより、柔軟な合成樹脂製袋のマチの解放部から狭小部であるマチの折り返し部分に形成される貫通孔から袋内に医療用廃棄物を投入するため、投入時はマチの傾斜に沿って円滑に投入することができ、折り返し部分の自然な折曲動作によって、折り返し部分に形成された貫通孔が常時狭められることになり、一旦投入された医療用廃棄物は、袋内に閉じ込められ容易に飛び出すことがないとしている。
【０００４】
又、実用新案登録第３２１２０６４号公報（特許文献２）には、合成樹脂製の表面シートと、表面シートよりも長手方向に長い、合成樹脂製の裏面シートと、表面シートの下端を裏面シートの下端に対応させ、表面シートを裏面シートに重ね合わせて、表面シートの上端と裏面シートとの間に形成される開口部と、を備える医療用廃棄物収納袋が開示されている。この医療用廃棄物収納袋は、裏面シートの上端から開口部を介し開口部の下方の所定の位置まで表面シートと裏面シートとの間に挿入された、合成樹脂製の中シートと、表面シート側の開口部の内面に設けられた第一のファスナーと、中シート側に設けられた、第一のファスナーと着脱する第二のファスナーと、開口部以外で、中シートの右端と左端とを含み、表面シートと裏面シートとの周縁を溶着している周縁融着部と、を備える。又、この医療用廃棄物収納袋は、開口部の下方で、表面シートと中シートと裏面シートとを重ね合わせて溶着し、開口部から内部に向かって狭くなるハの字状である開口部融着部と、表面シート側の開口部の外面に設けられ、第一の指掛け穴を有する引き部と、裏面シートと中シートとの上方の部分で構成され、第二の指掛け穴を有する掛け部と、を備える。これにより、医療用廃棄物を容易に内部に入れることが出来るとともに、入れた医療用廃棄物の外部への飛び出しを確実に防止することが可能となるとしている。
【０００５】
又、実用新案登録第３２１２７４６号公報（特許文献３）には、四角形状である表面シートと、表面シートに対応する四角形状であり、表面シートに重ね合され、周端を溶着することで、袋を形成する裏面シートと、を備える医療用廃棄物収納袋が開示されている。この医療用廃棄物収納袋は、袋の中央付近で、袋の左右方向に沿って線状に設けられる第一の折り目線と、第一の折り目線と袋の上側の端部との中間で、袋の左右方向に沿って線状に設けられる第二の折り目線と、表面シートの左右のいずれか一方の付近で、表面シートの第二の折り目線に対して直角に長尺の楕円状に設けられ、中心が第二の折り目線上にある挿入穴と、を備える。又、医療用廃棄物収納袋は、挿入穴の上下端部のそれぞれから、第二の折り目線上で、且つ、第二の折り目線の左右方向の中心付近まで線状に設けられ、くの字状を形成する第一の立体形成線と、挿入穴の上下端部のそれぞれから、第二の折り目線上まで、第一の立体形成線の傾斜よりも急な傾斜で線状に設けられ、くの字状を形成する第二の立体形成線と、を備える。これにより、手指が不自由な患者であっても医療用廃棄物を袋に容易に横入れすることが出来るとともに、入れた医療用廃棄物の外部への飛び出しを確実に防止することが可能となるとしている。
【先行技術文献】
【特許文献】
【０００６】
【特許文献１】実用新案登録第３２０５１５６号公報
【特許文献２】実用新案登録第３２１２０６４号公報
【特許文献３】実用新案登録第３２１２７４６号公報
【考案の概要】
【考案が解決しようとする課題】
【０００７】
しかしながら、上述した特許文献１に記載の技術では、マチを形成させるための十分な表面シートを必要とし、コスト高になる上、貫通孔に医療用廃棄物を適切に挿通させる必要があり、手指が不自由な患者が医療用廃棄物を貫通孔に通し難いという課題がある。
【０００８】
又、上述した特許文献２に記載の技術では、中シート、引き部、掛け部を必要とし、全体の構成が複雑で、コスト高になる可能性がある。更に、上述した特許文献３に記載の技術では、第一の折り目線、第二の折り目線、第一の立体形成線、第二の立体形成線を必要とし、製造の加工が複雑で、コスト高になる可能性がある。そのため、より簡単な構成が求められている。
【０００９】
一方で、手指が不自由な患者が医療用廃棄物収納袋を利用することから、医療用廃棄物収納袋には、患者にとって、どのような操作であっても袋を確実に閉止することが出来るような構成が求められている。
【００１０】
そこで、本考案は、課題を解決するためになされたものであり、構成が簡単で、且つ、手指が不自由な患者であっても袋を確実に閉止することが可能な医療用廃棄物収納袋を提供することを目的とする。
【課題を解決するための手段】
【００１１】
本考案者は、鋭意研究を重ねた結果、本考案に係る新規な医療用廃棄物収納袋を完成させた。即ち、本考案に係る医療用廃棄物収納袋は、表面シートと、裏面シートと、フラップと、第一のファスナーと、第二のファスナーと、を備える。表面シートは、細長形状であり、裏面シートは、前記表面シートの細長形状の長手方向のサイズよりも長いサイズの細長形状であり、余剰部分を有し、当該余剰部分以外の部分に前記表面シートを重ね合わせ、重ね合わされた前記表面シートと前記余剰部分以外の部分との周端を溶着することで、袋を形成する。フラップは、前記袋の開口部を形成する前記表面シートの端部から延出される。第一のファスナーは、長手方向が前記裏面シートの細長形状の短手方向に沿った細長形状であり、前記裏面シートの余剰部分の裏面に設けられる。第二のファスナーは、長手方向が前記表面シートの細長形状の長手方向に沿った細長形状であり、前記表面シートの表面に設けられる。本考案に係る医療用廃棄物収納袋は、前記フラップを用いて前記袋の開口部を開いて、医療用廃棄物を前記袋に押し込み、前記裏面シートの余剰部分を前記袋の蓋部にして前記表面シートの表面に折り返し、前記第一のファスナーと前記第二のファスナーとで十字を形成するように、前記第一のファスナーを前記第二のファスナーに付着させることで、前記袋の開口部を閉じる。
【考案の効果】
【００１２】
本考案によれば、構成が簡単で、且つ、手指が不自由な患者であっても袋を確実に閉止することが可能となる。
【図面の簡単な説明】
【００１３】
【図１】本考案の実施形態に係る医療用廃棄物収納袋の正面図と背面図とである。
【図２】本考案の実施形態に係る医療用廃棄物収納袋の右側面図と左側面図と平面図と底面図とである。
【図３】本考案の実施形態に係る医療用廃棄物収納袋の正面斜視図と背面斜視図とである。
【図４】本考案の実施形態に係る医療用廃棄物収納袋の余剰部分を閉じた状態の正面斜視図と背面斜視図とである。
【図５】本考案の実施形態に係る医療用廃棄物収納袋の使用状態を示す第一の正面斜視図（図５Ａ）と、第二の正面斜視図（図５Ｂ）と、である。
【図６】本考案の実施形態に係る医療用廃棄物収納袋の使用状態を示す第三の正面斜視図（図６Ａ）と、第一の背面斜視図（図６Ｂ）と、である。
【考案を実施するための形態】
【００１４】
以下に、添付図面を参照して、本考案の実施形態について説明し、本考案の理解に供する。尚、以下の実施形態は、本考案を具体化した一例であって、本考案の技術的範囲を限定する性格のものではない。
【００１５】
本考案は、図１〜図４に示すように、オートインジェクタ、ペン型注射器といった医療用廃棄物を収容する医療用廃棄物収納袋１であって、表面シート１０と、裏面シート１１と、フラップ１２と、第一のファスナー１３と、第二のファスナー１４と、を備える。
【００１６】
表面シート１０は、細長形状であり、裏面シート１１は、表面シート１０の細長形状の長手方向のサイズよりも長いサイズの細長形状であり、余剰部分１１ａを有し、余剰部分１１ａ以外の部分に表面シート１０を重ね合わせ、重ね合わされた表面シート１０と余剰部分１１ａ以外の部分との周端を溶着することで、袋Ｂを形成する。
【００１７】
フラップ１２は、袋Ｂの開口部Ｂ１を形成する表面シート１０の端部１０ａから延出される。第一のファスナー１３は、長手方向が裏面シート１１の細長形状の短手方向に沿った細長形状であり、裏面シート１１の余剰部分１１ａの裏面（内面）に設けられる。第二のファスナー１４は、長手方向が表面シート１０の細長形状の長手方向に沿った細長形状であり、表面シート１０の表面（外面）に設けられる。
【００１８】
これにより、構成が簡単で、且つ、手指が不自由な患者であっても袋を確実に閉止することが可能となる。即ち、図１〜図４に示すように、本考案に係る医療用廃棄物収納袋１では、構成要素が少なくとも５つで良く、製造の加工が必要最小限に抑えられているため、構成を簡単にすることが出来る。従って、量産化には最適である。
【００１９】
次に、図５Ａに示すように、先ず、患者が、フラップ１２を用いて袋Ｂの開口部Ｂ１を開いて、医療用廃棄物Ｗを袋Ｂに押し込む。ここで、フラップ１２により袋Ｂの開口部Ｂ１を開き易くすることが出来る。
【００２０】
次に、図５Ｂに示すように、患者が、医療用廃棄物Ｗを袋Ｂに収納する。そして、図６Ａに示すように、患者が、裏面シート１１の余剰部分１１ａを袋Ｂの蓋部にして表面シート１０の表面に折り返し、第一のファスナー１３と第二のファスナー１４とで十字を形成するように、第一のファスナー１３を第二のファスナー１４に付着させることで、袋Ｂの開口部Ｂ１を閉じる。
【００２１】
ここで、第一のファスナー１３を、長手方向が裏面シート１１の細長形状の短手方向に沿った細長形状とし、第二のファスナー１４を、長手方向が表面シート１０の細長形状の長手方向に沿った細長形状とすることで、手指が不自由な患者が、ある程度、第二のファスナー１４に対して第一のファスナー１３をずらして付着させたとしても、第一のファスナー１３の一部は第二のファスナー１４の一部に付着されるため、袋Ｂの開口部Ｂ１を確実に閉止することが出来る。これにより、閉止不良による医療用廃棄物Ｗの脱落を確実に防止することが出来る。そして、図６Ｂに示すように、患者は、使用済の医療用廃棄物Ｗを安全に医療機関に返すことが出来る。
【００２２】
ここで、表面シート１０と裏面シート１１の材質に特に限定は無いが、例えば、合成樹脂製である。又、表面シート１０の形状は、細長形状であれば、特に限定は無く、例えば、図１〜図４に示すように、略長方形状であっても良いし、他の形状として、略楕円形状であっても良い。
【００２３】
又、裏面シート１１の形状は、細長形状であれば、特に限定は無く、例えば、図１〜図４に示すように、略長方形状であっても良いし、他の形状として、略楕円形状であっても良い。裏面シート１１の余剰部分１１ａの形状に特に限定は無く、例えば、図１〜図４に示すように、略台形状であっても良いし、他の形状として、略正方形状や略円形状であっても良い。
【００２４】
又、表面シート１０の表面と裏面シート１１の表面には、例えば、医療用廃棄物に関する説明文や図面を適宜設けても構わない。
【００２５】
又、フラップ１２の形状に特に限定は無く、例えば、図１〜図４に示すように、半円形状であっても良いし、他の形状として、略半楕円形状や略正方形状であっても良い。フラップ１２の設置位置に特に限定は無く、例えば、図１〜図４に示すように、表面シート１０の端部１０ａの中央付近に設けられても良いし、これ以外の位置に設けられても良い。
【００２６】
又、第一のファスナー１３の設置位置に特に限定は無く、図１〜図４に示すように、裏面シート１１の余剰部分１１ａの裏面で、且つ、端部近傍に設けられても良いが、これ以外に、中央近傍に設けられても良い。
【００２７】
又、第二のファスナー１４の設置位置に特に限定は無く、図１〜図４に示すように、表面シート１０の表面で、且つ、表面シート１０の端部１０ａ側に設けられても良いし、これ以外に、中央近傍に設けられても良い。
【００２８】
又、第一のファスナー１３と第二のファスナー１４とは、面ファスナーを想定するが、これに限定する必要は無い。第一のファスナー１３と第二のファスナー１４は相互に付着（吸着）することから、第一のファスナー１３が雄型であれば、第二のファスナー１４は雌型であり、第一のファスナー１３が雌型であれば、第二のファスナー１４は雄型である。
【００２９】
又、本考案に係る医療用廃棄物収納袋１では、図１、図３〜図４に示すように、袋Ｂの開口部Ｂ１から底面部Ｂ２に向かって狭くなるハの字状に設けられる押し込みガイド線１５を更に備えても良い。これにより、図５Ｂに示すように、患者が、医療用廃棄物Ｗを袋Ｂに収納する際に、押し込みガイド線１５により、袋Ｂ内の医療用廃棄物Ｗの収納の偏りを軽減し、袋Ｂの中央に医療用廃棄物Ｗを適切に留めることが出来る。
【００３０】
尚、押し込みガイド線１５は、例えば、表面シート１０と裏面シート１１との溶着により設けられるため、表面シート１０と裏面シート１１とにそれぞれ表れる。又、押し込みガイド線１５の設置位置に特に限定は無く、例えば、図１、図３〜図４に示すように、袋Ｂの底面部Ｂ２側に設けられても良いし、他の設置位置として、袋Ｂの開口部Ｂ１から底面部Ｂ２に亘って設けられても良いし、袋Ｂの開口部Ｂ１側に設けられても良い。又、押し込みガイド線１５の設置数に特に限定は無く、例えば、図１、図３〜図４に示すように、上下一対の二本設けられても良いし、他の設置数として、それ以上に設けられても良い。
【００３１】
又、本考案に係る医療用廃棄物収納袋１では、図１、図３〜図４に示すように、表面シート１０の細長形状の短手方向に沿って袋Ｂの底面部Ｂ２の近傍に設けられる補強線１６を更に備えても良い。これにより、袋Ｂの底面部Ｂ２の強度が向上し、意図しない医療用廃棄物収納袋１の落下により医療用廃棄物Ｗが破損し、医療用廃棄物収納袋１が破れて医療用廃棄物Ｗが外部に出ることを防止することが出来る。
【００３２】
尚、補強線１６は、例えば、表面シート１０と裏面シート１１との溶着により設けられるため、表面シート１０と裏面シート１１とにそれぞれ表れる。又、補強線１６の設置数に特に限定は無く、例えば、図１、図３〜図４に示すように、一本設けられても良いし、他の設置数として、それ以上に設けられても良い。
【００３３】
又、本考案に係る医療用廃棄物収納袋１では、図１、図３〜図４に示すように、医療用廃棄物Ｗの収納位置を示すように描かれた線であり、裏面シート１１の表面に設けられる医療用廃棄物用位置線１７を更に備えても良い。これにより、図６Ｂに示すように、患者が、医療用廃棄物Ｗを袋Ｂに収納した際に、袋Ｂ内の医療用廃棄物Ｗが医療用廃棄物用位置線１７の内部に配置されているかどうかを確認して、袋Ｂ内の医療用廃棄物Ｗの配置を整えることが出来る。
【００３４】
尚、医療用廃棄物用位置線１７は、例えば、裏面シート１１の表面に印刷により設けられる。又、医療用廃棄物用位置線１７の構成に特に限定は無く、例えば、図１、図３〜図４に示すように、医療用廃棄物Ｗの外縁を示すように描かれた線で設けられても良いし、他の構成として、医療用廃棄物Ｗの外形や類似の形状を示すように描かれた線でも構わない。
【００３５】
又、医療用廃棄物収納袋１の耐久性を向上させるために、各部に補強溶着部を設けても良い。補強溶着部の形態に特に限定は無い。更に、本考案の実施形態では、医療用廃棄物収納袋１の構成に、更に、他の機能を追加しても構わない。
【産業上の利用可能性】
【００３６】
以上のように、本考案は、オートインジェクタ、ペン型注射器といった医療用廃棄物を収容する医療用廃棄物収納袋として有用であり、構成が簡単で、且つ、手指が不自由な患者であっても袋を確実に閉止することが可能な医療用廃棄物収納袋として有効である。
【符号の説明】
【００３７】
１    医療用廃棄物収納袋
１０  表面シート
１１  裏面シート
１２  フラップ
１３  第一のファスナー
１４  第二のファスナー
１５  押し込みガイド線
１６  補強線
１７  医療用廃棄物用位置線
【図１】
0003219025.tif 000003
【図２】
0003219025.tif 000004
【図３】
0003219025.tif 000005
【図４】
0003219025.tif 000006
【図５】
0003219025.tif 000007
【図６】
0003219025.tif 000008